(57)【要約】【課題】樹脂カバーの強度や樹脂カバーとアンテナエレメントとの固着強度が高く、且つ少ない部品点数で構成することができる。【解決手段】アンテナ部２ａとコイル状の雌ねじ部２ｂを有するアンテナエレメント２とし、雌ねじ部２ｂを雄ねじとして樹脂カバー３の雌ねじ部３ｂに螺合してアンテナエレメント２と樹脂カバー３を固着すると共に、アンテナエレメント２を樹脂カバー３で被覆し、好適には、雌ねじ部２ｂの終端２ｃで外方に突設されている掛止突起２ｄで、或いは巻き径が終端２ｃに向かって漸次増加している雌ねじ部２ｂの終端２ｃで樹脂カバー３の雌ねじ部３ｂを外方に付勢し、雌ねじ部２ｂと雌ねじ部３ｂの螺合が外れることを防止する。【選択図】図１
2005203843.tif 000002
【特許請求の範囲】
【請求項１】
コイル状の雌ねじ部と棒状のアンテナ部を有し、該雌ねじ部が螺合する本体若しくは取付具の雄ねじ部に対応する巻き径及びピッチであるアンテナエレメントと、アンテナエレメントに固着されアンテナエレメントを被覆する樹脂カバーとで構成されることを特徴とするホイップアンテナ。
【請求項２】
前記樹脂カバーが細長キャップ状で、その開口近傍に雌ねじ部を形成されており、前記アンテナエレメントのコイル状の雌ねじ部が雄ねじとして該樹脂カバーの雌ねじ部に螺合され、該アンテナエレメントと樹脂カバーが固着されることを特徴とする請求項１記載のホイップアンテナ。
【請求項３】
前記アンテナエレメントの雌ねじ部の終端に掛止突起が外方に突設され、該アンテナエレメントの抜ける方向への回動に対して、該掛止突起が前記樹脂カバーの雌ねじ部に掛止されることを特徴とする請求項１又は２記載のホイップアンテナ。
【請求項４】
前記アンテナエレメントの雌ねじ部の略終端近傍の巻き径が終端に向かって漸次増加され、該アンテナエレメントの抜ける方向への回動に対して、該終端が前記樹脂カバーの雌ねじ部に掛止されることを特徴とする請求項１又は２記載のホイップアンテナ。
【請求項５】
コイル状の雌ねじ部と棒状のアンテナ部を有し、該雌ねじ部が螺合する本体若しくは取付具の雄ねじ部に対応する巻き径及びピッチであるアンテナエレメントと、アンテナエレメントに固着されアンテナエレメントを被覆する樹脂カバーとで構成されるホイップアンテナを、本体若しくは取付具に設けられる雄ねじ部と該雌ねじ部を螺合することにより、本体若しくは取付具に取り付けることを特徴とするホイップアンテナの取付構造。
【請求項６】
前記取付状態に於いて、本体若しくは取付具の雄ねじ部の外周に設けられる当接面と前記アンテナ部の外周に位置する樹脂カバーの当接面とが当接することを特徴とする請求項５記載のホイップアンテナの取付構造。
【発明の詳細な説明】
【技術分野】
【０００１】
本発明は、主にトランシーバで用いられるホイップアンテナ及びその取付構造に関する。
【背景技術】
【０００２】
トランシーバで用いられるホイップアンテナは、図４で示す構造が一般的である。図４のホイップアンテナ１は、棒状のアンテナエレメント２、先端に丸みを帯びた略細長キャップ状で略末拡がりの樹脂カバー３、略後部に雄ねじ４ａが形成されている金属製の取付体４、プラスチック製のカラー５を有し、樹脂カバー３内にアンテナエレメント２、取付体４、カラー５が収容され固定されている。取付体４の雄ねじ４ａより小径の基部４ｂの前端面には、アンテナエレメント２の後端が半田６で固着されており、又、基部４ｂの側面には複数の凹部４ｃが周方向に点在して形成され、カラー５の内周面に形成された複数の凸部５ａが対応する凹部４ｃにそれぞれ嵌め込まれている。更に、カラー５の外周面には複数の凹部５ｂが周方向に点在して形成され、樹脂カバー３の内周面に形成された複数の凸部３ａが対応する凹部５ｂにそれぞれ嵌め込まれている。そして、ホイップアンテナ１は、雌ねじ４ａをトランシーバ本体等に設けられている雄ねじ部と螺合することにより、トランシーバ本体等に取り付けられる。
【発明の開示】
【発明が解決しようとする課題】
【０００３】
しかしながら、図４のホイップアンテナ１は、樹脂カバー３と取付体４との間にカラー５を介装して抜け止めし固定する構造であるため、取付体４が配置される箇所等で樹脂カバー３の肉厚が薄く、樹脂カバー３の強度が低いという不具合がある。更に、樹脂カバー３に強い力が負荷されると、弾性で肉厚が薄い樹脂カバー３が膨らんで、カラー５、取付体４、アンテナエレメント２が樹脂カバーから抜ける或いは樹脂カバー３が空転するような事態が生じ、固着強度が低いという問題がある。更には、図４のホイップアンテナ１は、アンテナエレメント２、樹脂カバー３、取付体４、カラー５で構成され、部品点数が多く、組立作業に手間を要すると共に、高コストになるという問題もある。
【０００４】
本発明は上記課題に鑑み提案するものであって、樹脂カバーの強度や樹脂カバーとアンテナエレメントとの固着強度が高く、且つ、少ない部品点数で構成することができ、組立作業が容易で低コストなホイップアンテナ及びその取付構造を提供することを目的とする。
【課題を解決するための手段】
【０００５】
本発明のホイップアンテナは、コイル状の雌ねじ部と棒状のアンテナ部を有し、該雌ねじ部が螺合する本体若しくは取付具の雄ねじ部に対応する巻き径及びピッチであるアンテナエレメントと、アンテナエレメントに固着されアンテナエレメントを被覆する樹脂カバーとで構成されることを特徴とする。
【０００６】
更に、本発明のホイップアンテナは、前記樹脂カバーが細長キャップ状で、その開口近傍に雌ねじ部を形成されており、前記アンテナエレメントのコイル状の雌ねじ部が雄ねじとして該樹脂カバーの雌ねじ部に螺合され、該アンテナエレメントと樹脂カバーが固着されることを特徴とする。
【０００７】
更に、本発明のホイップアンテナは、前記アンテナエレメントの雌ねじ部の終端に掛止突起が外方に突設され、該アンテナエレメントの抜ける方向への回動に対して、該掛止突起が前記樹脂カバーの雌ねじ部に掛止されることを特徴とする。又は、本発明のホイップアンテナは、前記アンテナエレメントの雌ねじ部の略終端近傍の巻き径が終端に向かって漸次増加され、該アンテナエレメントの抜ける方向への回動に対して、該終端若しくは終端とその近傍領域が前記樹脂カバーの雌ねじ部に掛止されることを特徴とする。
【０００８】
また、本発明のホイップアンテナの取付構造は、コイル状の雌ねじ部と棒状のアンテナ部を有し、該雌ねじ部が螺合する本体若しくは取付具の雄ねじ部に対応する巻き径及びピッチであるアンテナエレメントと、アンテナエレメントに固着されアンテナエレメントを被覆する樹脂カバーとで構成されるホイップアンテナを、本体若しくは取付具に設けられる雄ねじ部と該雌ねじ部を螺合することにより、本体若しくは取付具に取り付けることを特徴とする。好適には、前記取付状態に於いて、本体若しくは取付具の雄ねじ部の外周に設けられる当接面と前記アンテナ部の外周に位置する樹脂カバーの当接面とが当接する構成とする。
【発明の効果】
【０００９】
本発明では、コイル状の雌ねじ部と棒状のアンテナ部を有するアンテナエレメントを樹脂カバーに固着すると共にその樹脂カバーで被覆してホイップアンテナを構成することで、アンテナエレメントと樹脂カバーとの間にカラー等の介装物を設ける必要が無くなり、樹脂カバーの肉厚を厚くして強度を高めることができる。更に、樹脂カバーの肉厚を厚くすることが可能なので、樹脂カバーが弾性で膨らんでアンテナエレメントが抜け出すようなことが無くなり、樹脂カバーとアンテナエレメントの固着強度を高めることができる。特に、樹脂カバーの内側に形成した雌ねじ部にアンテナエレメントの雌ねじ部を雄ねじとして螺合し固着する構成により、樹脂カバーとアンテナエレメントを非常に強固に固着することができると共に、その固着作業を容易化することができる。
【００１０】
また、アンテナエレメントで雌ねじ部を構成し、その雌ねじ部を本体や取付具の雌ねじ部と螺合して取り付ける構成により、ホイップアンテナを容易に取り付けることができると共に、ホイップアンテナをトランシーバ本体等に強固に固着することができ、例えば接着が外れる、樹脂カバーが別部材のカラーに対して空転する等の問題を無くすことができる。更に、樹脂カバーの当接面と本体の当接面等を当接させることにより、樹脂カバーやホイップアンテナに負荷される周方向の回転トルクを当接箇所で受けることができ、回転に対する強度が非常に高くなる。
【００１１】
また、アンテナエレメントと樹脂カバーでホイップアンテナを構成することにより、ホイップアンテナの部品点数を２点とし、組立作業の容易化、製造コスト・組立コストの低減を図ることができる。
【００１２】
また、アンテナエレメントの雌ねじ部の終端に設ける掛止突起が、アンテナエレメントの抜ける方向への回動に対して樹脂カバーに掛止する、或いはアンテナエレメントの雌ねじ部の略終端近傍の巻き径を終端に向かって漸次増加し、アンテナエレメントの抜ける方向への回動に対して前記終端が樹脂カバーの雌ねじ部に掛止する構成とすることにより、アンテナエレメントが回転して樹脂カバーから抜け出ることを防止することができる。更に、アンテナエレメントの雌ねじ部の略終端近傍の巻き径を終端に向かって漸次増加する構成では、例えば量産する際に掛止突起の厳密な寸法管理等を行う必要が無いので、ホイップアンテナやアンテナエレメントの製造工程を一層容易化することができる。
【発明を実施するための最良の形態】
【００１３】
以下では、本発明について実施形態に基づき説明する。尚、本発明には、各発明に他の発明や実施形態の構成を追加したものや、各発明の構成を他の発明や実施形態の構成に変更したものや、各発明の構成を本発明の部分的な効果を奏する限度で削除したものも含まれる。
【００１４】
本実施形態のホイップアンテナ１は、図１及び図２に示すように、棒状のアンテナ部２ａ及びアンテナ部２ａの後部に設けられている螺旋状の雌ねじ部２ｂを有するアンテナエレメント２と、先端が丸い略円錐形であり細長キャップ状で略末拡がりの樹脂カバー３とで構成され、アンテナエレメント２が樹脂カバー３の内部に収容され固着されている。
【００１５】
アンテナエレメント２は、図１〜図３に示すように、その雌ねじ部２ｂの巻き径のうち内径及び雌ねじ部２ｂのピッチが、トランシーバ本体６の雄ねじ部６ａの径及びピッチにそれぞれ対応して形成されており、本例の雌ねじ部２ｂは略密着するピッチで形成されている。また、雌ねじ部２ｂの巻き径のうち外径及び雌ねじ部２ｂのピッチは、後述する樹脂カバー３の雌ねじ部３ｂの径及びピッチに対応するようになっている。更に、雌ねじ部２ｂの終端２ｃには掛止突起２ｄが外方に突設されており、掛止突起２ｄは、螺旋の進行方向側の面が傾斜面である略三角形柱状に形成されている。
【００１６】
細長キャップ状の樹脂カバー３は、アンテナ部２ａの収容箇所の内径をアンテナ部２ａの外径より大径に形成され、その底側の開口から挿入されるアンテナエレメント２を内部に収容している。樹脂カバー３は、その開口近傍の内周にネジ溝が形成された雌ねじ部３ｂを有し、アンテナエレメント２の雌ねじ部２ｂの外径部分を雄ねじとして雌ねじ部３ｂに螺合することにより、挿入収容されるアンテナエレメント２が樹脂カバー３に固着されている。更に、雌ねじ部３ｂの開口側の終端に於ける外周には当接面３ｃが設けられており、前記当接面３ｃは後述するトランシーバ本体６の当接面６ｂに当接するようになっている。
【００１７】
アンテナエレメント２の雌ねじ部２ｂを雄ねじとして樹脂カバー３の雌ねじ部３ｂに螺合する場合、樹脂カバー３の開口側からアンテナエレメント２のアンテナ部２ａを樹脂カバー３内へ挿入し、雌ねじ部２ｂを樹脂カバー３ｂの雌ねじ部３ｂに螺入する。前記螺合の際には、アンテナエレメント２のバネ性及び掛止突起２ｄの傾斜面により、その終端２ｃの掛止突起２ｄが内径方向へ逃げ、スムーズに螺合するようになっている。また、前記螺合後には、螺合を外す方向への回転に対して掛止突起２ｄが雌ねじ部３ｂの面に引っ掛かり、雌ねじ部３ｂを外方に付勢して回転止めとなり、アンテナエレメント２の雌ねじ部２ｂが雄ねじとして螺合している樹脂カバー３の雌ねじ部３ｂから抜け外れることを防止する構成である。
【００１８】
そして、図２に示すように、トランシーバ本体６の雄ねじ部６ａ或いは本体６への取付具に設けられている雄ねじ部を、アンテナエレメント２が内部に収容されている樹脂カバー３の底側の開口から挿入し、樹脂カバー３の雌ねじ部３ｂに螺合されているアンテナエレメント２の雌ねじ部２ｂの内径部分に雄ねじ部６ａを螺入して固着することにより、アンテナエレメント２と樹脂カバー３で構成されるホイップアンテナ１がトランシーバ本体６等に取り付けられる。ホイップアンテナ１をトランシーバ本体６等に取り付けた状態では、雄ねじ部６ａの外周に設けられる当接面６ｂ或いは本体６への取付具の雄ねじ部の外周に設けられる当接面に樹脂カバー３の当接面３ｃが当接し、前記当接がホイップアンテナ１の周方向に負荷される回転トルクに対するストッパーとして機能する。
【００１９】
前記本体６の雄ねじ部６ａのアンテナエレメント２の雌ねじ部２ｂへの螺入では、アンテナエレメント２の雌ねじ部２ｂの樹脂カバー雌ねじ部３ｂに対する螺入が進行し、最終的にアンテナエレメント２の雌ねじ部２ｂの先端が樹脂カバー３の雌ねじ部３ｂの先端に当接するまで螺入され所定位置に固着される。更に、アンテナエレメント２の雌ねじ部２ｂは樹脂カバー３の雌ねじ部３ｂより進行方向の長さが例えば０．２ｍｍ程度僅かに短く形成されており、前記雌ねじ部３ｂの先端に当接するまで螺入した場合に、ホイップアンテナ１の長手方向に於ける当接面３ｃの位置と雌ねじ部２ｂの後端の位置にギャップが形成される。
【００２０】
また、上記実施形態の変形例として、アンテナエレメント２の雌ねじ部２ｂの終端２ｃに掛止突起２ｄを形成する構成に代え、図４に示すように、雌ねじ部２ｂの略終端近傍の巻き径を終端２ｃに向かって漸次増加させ、アンテナエレメント２の終端２ｃやその近傍に外力が負荷されていない状態では、終端２ｃの外端が雌ねじ部２ｂの巻き径の外径より例えば約０．２ｍｍ程度など外方に位置する構成としても好適である。
【００２１】
前記変形例でアンテナエレメント２の雌ねじ部２ｂを雄ねじとして樹脂カバー３の雌ねじ部３ｂに螺合する際には、雌ねじ部２ｂと雄ねじ部３ｂの螺合で前記略終端近傍が内径方向へ付勢され、スムーズに螺合するようになっており、又、前記螺合後には、螺合を外す方向への回転に対して終端２ｃやその近傍領域が雌ねじ部３ｂの面を外方に付勢して回転止めとなり、アンテナエレメント２の雌ねじ部２ｂが雄ねじとして螺合している樹脂カバー３の雌ねじ部３ｂから抜け外れることを防止することができる。
【００２２】
上記実施形態及びその変形例のホイップアンテナ１は、接着剤等を用いずに雌ねじ部２ｂと雌ねじ部３ａを螺着するので、アンテナエレメント２と樹脂カバー３を強固に固着することができると共に、雌ねじ部２ｂと雌ねじ部３ｂの当接と掛止突起２ｄの付勢或いは巻き径が増加している終端２ｃの近傍の付勢が、螺着したアンテナエレメント２のストッパーとなり、樹脂カバー３に螺着したアンテナエレメント２を所定位置に安定して強固に保持することができる。更に、樹脂カバー３の雌ねじ部３ｂにアンテナエレメント２の雌ねじ部２ｂを直接螺着し、樹脂カバー３とアンテナエレメント２との間に別部材等を設けないので、樹脂カバー３の肉厚を厚くして強度を高めることができる。更に、ホイップアンテナ１の長手方向に於ける当接面３ｃの位置と雌ねじ部２ｂの後端の位置にギャップにより、アンテナエレメント２に当接面６ｂが食い込んで外力が負荷されることを防止することができる。
【００２３】
また、樹脂カバー３と強固に螺着されるアンテナエレメント２の雌ねじ部２ｂを、接着材や別部材等を用いずにトランシーバ本体６の雄ねじ部６ａ等に螺着することにより、ホイップアンテナ１をトランシーバ本体６等に強固に固着することができ、例えば接着が外れる、樹脂カバー３が別部材のカラー５に対して空転する等の問題が生ずることが無い。更に、雄ねじ及び雌ねじとして共用するアンテナエレメント２の雌ねじ部２ｂを螺着し、例えば雌ねじ部６ａをホイップアンテナ１から引き抜く方向の力に対し、移動可能な雌ねじ部２ｂが雄ねじ部６ａのテーパ面により径を拡大され、雌ねじ部３ｂへ外側方向に強く押し付けられるので、かかる力に対する取付強度が非常に高くなる。更に、当接する樹脂カバー３の当接面３ｃと本体６の当接面６ｂ等が樹脂カバー３に負荷される周方向の回転トルクを受けることができ、回転に対する強度が非常に高くなる。加えて、係る固着構成で樹脂カバー３に軟性の樹脂を用いる場合にも強い取付強度を発揮することができる。
【００２４】
また、アンテナエレメント２と樹脂カバー３の２点の部品で構成されるので、部品点数の削減を図ることができる。更に、アンテナエレメント２を対応する内部形状の樹脂カバー３にアンテナエレメント２を挿入すると共に、雌ねじ部２ｂを雄ねじとして樹脂カバー３へ螺着し、且つ前記雌ねじ部２ｂをトランシーバ本体６の雄ねじ部６ａ等に対する雌ねじとして螺着する構成で、ホイップアンテナ１の組立や取付を行うことができ、組立工程や取付工程の容易化を図ることができる。
【産業上の利用可能性】
【００２５】
本発明は、例えばトランシーバのホイップアンテナやその製造工程について利用することができる。
【図面の簡単な説明】
【００２６】
【図１】実施形態のホイップアンテナ及び本体の雄ねじ部を示す一部断面説明図。
【図２】図１のホイップアンテナと本体の雄ねじ部の取付状態を示す一部断面説明図。
【図３】（ａ）はアンテナエレメントの正面図、（ｂ）は同図（ａ）のアンテナエレメントの底面図。
【図４】（ａ）は変形例のアンテナエレメントの正面図、（ｂ）は同図（ａ）のアンテナエレメントの底面図。
【図５】従来例のホイップアンテナを示す一部断面説明図。
【符号の説明】
【００２７】
１  ホイップアンテナ
２  アンテナエレメント
２ａ  アンテナ部
２ｂ  雌ねじ部
２ｃ  終端
２ｄ  掛止突起
３  樹脂カバー
３ａ  凸部
３ｂ  雌ねじ部
３ｃ  当接面
４  取付体
４ａ  雄ねじ部
４ｂ  基部
４ｃ  凹部
５  カラー
５ａ  凸部
５ｂ  凹部
６  トランシーバ本体
６ａ  雄ねじ部
６ｂ  当接面
【図１】
2005203843.tif 000003
【図２】
2005203843.tif 000004
【図３】
2005203843.tif 000005
【図４】
2005203843.tif 000006
【図５】
2005203843.tif 000007